(57)【要約】【課題】有機廃棄物処理装置の処理槽内から出てくるゴミ等をとるためのフィルタ−についたゴミをつきにくくする構成を提供することにある。【解決手段】有機物の発酵を行う処理槽と、処理槽に有機廃棄物を投入するための投入蓋と、処理槽内を加熱する加熱手段と、処理槽内の粉塵を付着するフィルタ−と、処理槽内に配置された攪拌体と、攪拌体を駆動する駆動手段と、駆動手段を制御する制御手段を有する有機廃棄物処理装置であって、フィルタ−にはフィルタ−に振動を与える振動手段を具えたことを特徴とする。【選択図】  図１
2004174359.tif 000002
【特許請求の範囲】
【請求項１】
有機物の発酵を行う処理槽と、前記処理槽に有機廃棄物を投入するための投入蓋と、前記処理槽内を加熱する加熱手段と、前記処理槽内の粉塵を付着するフィルタ−と、前記処理槽内に配置された攪拌体と、前記攪拌体を駆動する駆動手段と、前記駆動手段を制御する制御手段を有する有機廃棄物処理装置であって、
前記フィルタ−には該フィルタ−に振動を与える振動手段を具えたことを特徴とする有機廃棄物処理装置。
【請求項２】
請求項１において、前記振動手段は電池により動作するバイブレ−タであることを特徴とする有機廃棄物処理装置。
【請求項３】
請求項１において、前記振動手段は前記フィルタ−の把手内に設けたことを特徴とする有機廃棄物処理装置。
【請求項４】
請求項１において、前記フィルタ−には放射状のリブが形成され、前記放射状リブの中心部に前記振動手段が設けられていることを特徴とする有機廃棄物処理装置。
【請求項５】
請求項１において、前記制御手段は前記投入蓋を開くと前記振動手段が動作するように制御することを特徴とする有機廃棄物処理装置。
【請求項６】
請求項３又は４において、前記振動手段は電池により動作するバイブレ−タであり、前記電池と前記バイブレ−タとは前記フィルタ−に水密的に設けたことを特徴とする有機廃棄物処理装置。
【請求項７】
請求項１において、前記振動手段は充電電池と前記充電電池により動作するバイブレ−タと前記バイブレ−タ駆動手段を具え、前記充電電池と前記バイブレ−タは前記フィルタ−に水密的に設けたことを特徴とする有機廃棄物処理装置。
【請求項８】
請求項７において、前記充電電池は非接触に充電する電気回路を有することを特徴とする有機廃棄物処理装置。
【発明の詳細な説明】
【０００１】
【発明の属する技術分野】
本発明は有機廃棄物処理装置に係り、特にフィルターの目づまりを防止する技術に関するものである。
【０００２】
【従来の技術】
従来の有機廃棄物処理装置には、処理槽から発生する気体を吸い込む吸入口にフィルタ−を設け、このフィルタ−が投入口側が高く奥側が低くなるように傾斜を付けて形成することにより、フィルタ−が投入口からよく見え、目詰まりチェックが容易かつ清掃が容易なものがある（例えば、特許文献１参照。）。
【０００３】
【特許文献１】特開平０８−５７４５１号公報（第４頁、図４）
【発明が解決しようとする課題】
しかし、このような従来の固形有機廃棄物処理装置にあっては、生ゴミ投入直前の撹拌槽内が乾燥したコンポストの粉塵が舞上り状態となっている所へ、生ゴミが投入口より再投入されるため処理槽内に投入されると、予め処理槽内下部に発酵菌を仕込んであることにより、撹拌腕の回転に伴って固形有機廃棄物と発酵菌の混ぜ合せが行なわれ、処理槽は電気ヒータにより加熱・保温されていることにより、発酵菌に温度が供給されて、投入された固形有機廃棄物自身のもつ水分と相まって、水分、湿度、空気の発酵のための要素が満たされ、発酵を開始する。
【０００４】
次いで、発酵および加熱の過程で固形有機物より水蒸気が発生する。この水蒸気は、処理槽の吸入口から吸込まれて、吸入口に連結された吸入パイプ内の送風ファンを通じて処理槽外に設けられた熱交換装置に送られる。
【０００５】
さらに、熱交換装置内で水蒸気は凝縮されて液体となり排出される。熱交換装置内で凝縮された液体は発酵の過程で生成された弱酸性の液体であり中和装置内に予め仕込まれた弱アルカリ性の中和材により中性化される。しかし、処理槽内には弱酸性の水蒸気が舞っている。したがって、かかる状態のところへ生ゴミが投入されると先ず、フィルターに水蒸気と共に粉塵化したコンポストが付着し時間がたつにつれて、固化しているので、掃除するのが困難であり、また掃除のたびにフィルターを取り外し、掃除後戻すのも容易でなかった。掃除しないでおくと目詰まりを起こし、水蒸気を含む気体が熱交換装置に吸込まれなくなるため、処理槽の有機物は汚泥化し処理不能となる。また、送風量が減るので吸込ファンが加熱して故障することもある。
本発明の目的はフィルタ−についたゴミをつきにくくすることにある。
【０００６】
【課題を解決するための手段】
本願発明は、有機物の発酵を行う処理槽と、前記処理槽に有機廃棄物を投入するための投入蓋と、前記処理槽内を加熱する加熱手段と、前記処理槽内の粉塵を付着するフィルタ−と、前記処理槽内に配置された攪拌体と、前記攪拌体を駆動する駆動手段と、前記駆動手段を制御する制御手段を有する有機廃棄物処理装置であって、前記フィルタ−には該フィルタ−に振動を与える振動手段を具えたことを特徴とする。
【０００７】
【発明の実施の形態】
本願発明の一実施例に係る有機廃棄物処理装置は、有機物の発酵を行う処理槽と、処理槽に有機廃棄物を投入するための投入蓋と、記処理槽内を加熱する加熱手段と、処理槽内の粉塵を付着するフィルタ−と、処理槽内に配置された攪拌体と、攪拌体を駆動する駆動手段と、駆動手段を制御する制御手段を有する有機廃棄物処理装置であって、フィルタ−にはフィルタ−に振動を与える振動手段を具えたことを特徴とする。
この構成により、フィルタ−の目詰まりを抑制することが出来る。
【０００８】
さらに、振動手段は電池により動作するバイブレ−タを具えることにより、コンパクトな有機廃棄物処理装置とすることが出来る。
【０００９】
さらに、振動手段はフィルタ−の把手内に設けたことにより部品の数を減らし安価にすることが出来る。
【００１０】
さらに、フィルタ−には放射状のリブが形成され、放射状リブの中心部に振動手段が設けられていることにより、振巾が大きくとれて付着したゴミを落ちやすくすることが出来る。
【００１１】
さらに、制御手段は投入蓋を開くと振動手段が動作するように制御することにより、使用者の取り扱い性を向上することが出来る。
【００１２】
さらに、振動手段は電池により動作するバイブレ−タであり、電池とバイブレ−タとはフィルタ−に水密的に設けたことにより、有機廃棄物処理装置の信頼性を向上することが出来る。
【００１３】
さらに、振動手段は充電電池と充電電池により動作するバイブレ−タとバイブレ−タ駆動手段を具え、充電電池とバイブレ−タはフィルタ−に水密的に設けたことにより、有機廃棄物処理装置の信頼性を向上することが出来る。
【００１４】
さらに、充電電池は非接触に充電する電気回路を有することにより、電気系統が酸性の水蒸気等で犯されることを抑制することができる。
（実施例）
以下、本発明に係る実施例を図１〜図８に基づいて説明する。
図７は一般的な有機廃棄物処理装置である。図８は有機廃棄物処理装置の要部断面図である。図７において、固形有機廃棄物を好気性発酵させて処理する処理装置１１７は、基本的な手段として、固形有機廃棄物を受け入れ且つ、発酵処理してコンポスト（堆肥）化し、排出する処理槽１０１と、その処理槽１０１内の固形有機廃棄物を攪拌する回転翼１０３と、回転翼１０３を回転させる回転軸１０２と、回転軸１０２を回転させるために回転軸１０２に直結された大スプロケット１０４と、大スプロケットの外周に取り付けられ、小スプロケット１０６が直結された駆動モ−タ１０６の動力を伝達するチェ−ン１０５とを備えている。そして、ゴミは投入口１０８から投入される。
そして、ゴミがコンポストとなった後に排出通路１０９から排出され、ストッカ−室１１１のストッカ−１１０に貯められ、開閉自在のストッカ−扉１１６から取り出せるようになっている。尚、処理槽から送られてくる気体中の水蒸気を凝縮して液体として且つこの気体を排出する熱交換装置（図示せず）も具えている。
【００１５】
図１は本発明の一実施の形態を示すバイブレーターの運転制御のフローチャートである。図２は本発明の一実施の形態を示すフィルター取付部の要部断面図とフィルターのバイブレーター収納部が把手を兼用した例を示す平面図である。
図３は本発明の一実施の形態を示すフィルターに内蔵されたバイブレーター部が把手と兼用した例を示す斜視図である。図４は本発明の一実施の形態を示すフィルターの中心に小形のバイブレーターが内蔵された斜視図である。図５は本発明の一実施の形態を示すバイブレーターが非接触の電源により充電されるブロック図である。図６は本発明の一実施の形態を示すバイブレーター付フィルターの収納部の要部断面図である。
【００１６】
一般に生ゴミを処理装置に新たに投入するのは一日一回で、例えば、朝投入する時は前日に投入された生ゴミが一昼夜撹拌されてコンポスト化され撹拌層内がほぼ乾燥状態になり、コンポストがファン（図示せず）により吸収されてフィルターに付着している状態の時である。ここで図１について説明する。生ゴミ処理装置の電源を入れると（Ｓ１）、通常運転を開始する（Ｓ２）。そして投入扉（投入蓋）が開かれたかどうかを判断し（Ｓ３）、開いていない場合には通常運転を継続する。そして投入扉が開かれた場合には、攪拌を停止して吸込ファンを停止する（Ｓ４）。そして投入扉が閉められたかどうかを判断し（Ｓ５）、閉められていない場合には攪拌停止し吸込ファンも停止した状態を継続する。
そして投入扉が閉められた場合にはバイブレ−タの運転を開始する（Ｓ６）。
そして指定時間が経過した場合にはバイブレ−タを停止し、攪拌を起動して吸込ファンを起動する（Ｓ８）。また、熱交換装置の吸込ファンも起動する。指定時間が経過していない場合にはバイブレ−タを運転継続する。
ここで、投入蓋が開かれると、リードスイッチ１０が動作して電源が入り、バイブレーターが運転するようになっている。
尚、バイブレーターが起動する時は処理装置内は乾燥状態であるが、新たに生ゴミが投入されると処理装置内は湿度が上がりフィルターに付着したコンポストが吸湿してゲル状となるが時間がたつにつれて乾燥してくる。
このように、フィルターにバイブレーターを内蔵させ、新しい生ゴミを投入するために投入口の扉をあけて閉めると自動的にバイブレーターが起動しフィルターに付着したコンポスト等を落下させるので、フィルターの目づまりが防止でき、処理槽の水蒸気を含む空気が熱交換器を通過するので、撹拌槽内で有機廃棄物が汚泥化することなく又、熱交換器への送風ファンも加熱することなく安心して使える。
【００１７】
図２はフィルター４を生ゴミの投入蓋１を開け、投入口２からフィルター取付用の両側のレール３に沿って挿入する時に挿入したり、引出したりしやすいように、フィルター４の端部４ａに把手４ｂを設けるが、この把手４ｂにバイブレーター５と電池６を収納した例であり、バイブレーター５の電池６としては、マンガン電池などの使い捨て型と、ニッケルカドミニューム電池などの充電型とがあるが、いずれにしてもバイブレーターと電池の収納部はシールパッキング等を用いて槽内の弱酸性の水蒸気が侵入しない構造とした。したがって、フィルター４を引き出し水洗いする時と水分が侵入しない構造とした。したがって、フィルター４を引き出し水洗いする時も水分が侵入しないので、安心して掃除が出来る。このため、ケース外に出るリード線が不要となりケースのシール性が高まり、内部の部品が酸性の蒸気で犯されることがなくなり信頼性の高い有機廃棄物処理装置を提供できる。
また、バイブレーター５の振動が伝播しやすいようにフィルターを合成樹脂等で作り放射状のリブ４ｃを同時に成形してある。
【００１８】
また、バイブレーターと電池の収納部をフィルターの挿入・引出しがガイドレールに沿って行われる際に手を掛ける把手と兼ねたので部品の数が減り安価に有機廃棄物処理装置を提供できる。
【００１９】
図３はフィルターを平面的に使用する時に、つまみ上げ易いようにフィルター７の中心部７ａに把手７ｂを設け、把手７ｂの一部にバイブレーターと電池を組込みシールした例である。なお、バイブレーターの振動が伝播しやすいように十文字状にリブ７ｃを設けた。把手と兼用のバイブレーターが収納されたケースをフィルターのほぼ中心地に設け、放射状にリブを設けたので、振巾が大きくとれて付着したコンポストの粉塵が落ちやすい。
【００２０】
図４はボタン電池等で動作するコンパクトなバイブレーター５を電池と近接させてフィルター８の中心部に設置した例である。バイブレーター５の上にボタン電池を載せたバイブレーター部９をパッキング等を使って密閉されるケースに収納して、フィルターのリブ８ｂのほぼ中心部に固定してある。振巾のスパンが長くとれるので微振動と小さな振巾でも繰返すうちに、共振して大きな振巾となり微振動との相互作用で付着した粉塵をおとす。
【００２１】
図５はバイブレーターの電源として非接触の充電方式を採用する時の電源のブロック図であり、出力整流回路１３とバイブレーターを内蔵したフィルターが共振回路を有する充電部１４に近接した時に充電されるようにしたので、出力電流回路部も共振回路部も処理槽内の弱酸性の水蒸気に触れることがなく劣化することもなく長期間使える。なお、バイブレーター部はコンパクトに納められ図２、図３および図４に示すフィルターに採用することが出来る。このように、バイブレーターと電源が密閉されたケース内に収納された状態で充電され、放電されるので、ケース内には発酵および加熱の過程で発生する酸性の水蒸気が収納部に侵入することがないので、電気系統が犯されることがない。
【００２２】
また、従来は小型の振動源としてはモーターに偏心した重りを回転させて振動させていたが、重りの役目を兼ねた磁気回路を上下の縦方向に動かすことにより振動させることにしたので、フィルターが上下に振動しやすく、目づまりした粉塵が落ちやすくなった。
【００２３】
図６はバイブレーター付のフィルター１１を通路内に設置する時に、フィルター１１の目づまりを少なくするために、即ち、フィルターの有効面積を広くとるための例である。図６（ａ）及び（ｃ）に比べて図６（ｂ）及び（ｄ）の方がフィルタ−の有効面積を広くとれる。又、バイブレーター収納部１２はフィルターの吐出面側の上部に設けることにより、バイブレーターや電池等の収納ケースが汚れにくくしたものである。このように、フィルターを通路内に設置する場合に傾斜して設置することにより有効面積が広くとれ、バイブレーターを収納したケースなどをフィルターの吐出側に設けることにより、ケースが汚れにくくなった。
【００２４】
【発明の効果】
以上詳細に説明したように、本発明によれば、フィルターにバイブレーターを内蔵させ、新しい生ゴミを投入するために投入口の扉をあけて閉めると自動的にバイブレーターが起動しフィルターに付着したコンポスト等を落下させるので、フィルターの目づまりが防止でき、処理槽の水蒸気を含む空気が熱交換器を通過するので、撹拌槽内で有機廃棄物が汚泥化することなく又、熱交換器への送風ファンも加熱することなく安心して使える。
【図面の簡単な説明】
【図１】本発明の一実施の形態を示すバイブレーターの運転制御のフローチャートである。
【図２】本発明の一実施の形態を示すフィルター取付部の要部断面図とフィルターのバイブレーター収納部が把手を兼用した例を示す平面図である。
【図３】本発明の一実施の形態を示すフィルターに内蔵されたバイブレーター部が把手と兼用した例を示す斜視図である。
【図４】本発明の一実施の形態を示すフィルターの中心に小形のバイブレーターが内蔵された斜視図である。
【図５】本発明の一実施の形態を示すバイブレーターが非接触の電源により充電されるブロック図である。
【図６】本発明の一実施の形態を示すバイブレーター付フィルターの収納部の要部断面図である。
【図７】有機廃棄物処理装置の要部斜視図である。
【図８】有機廃棄物処理装置の吸入口の詳細を示す部分拡大縦断面図である。
【符号の説明】
１  投入蓋                    １０１  処理槽
２  投入口                    １０２  回転軸
３  フィルター取付用レール    １０３  回転翼
４  フィルター                １０４  大スプロケット
４ａ  フィルター端部          １０５  チェーン
４ｂ  把手                    １０６  小スプロケット
４ｃ  放射状リブ              １０７  駆動モータ
５  バイブレーター            １０８  投入口
６  電池                      １０９  排出通路
７  フィルター                １１０  ストッカー
７ａ  フィルターの中心部      １１１  ストッカー室
７ｂ  把手                    １１６  ストッカー扉
７ｃ  十文字状リブ            １１７  有機廃棄物処理装置
８  フィルター
８ｂ  フィルターのリブ
９  バイブレーター部
１０  リードスィツチ
１１  フィルター
１２  バイブレーター収納部
１３  出力整流回路
１４  充電部
【図１】
2004174359.tif 000003
【図２】
2004174359.tif 000004
【図３】
2004174359.tif 000005
【図４】
2004174359.tif 000006
【図５】
2004174359.tif 000007
【図６】
2004174359.tif 000008
【図７】
2004174359.tif 000009
【図８】
2004174359.tif 000010